(57)【要約】【課題】  利便性の高いレンズホルダを提供する。【解決手段】  レンズホルダ１０は、ライトガイド２０の先端部２１に対して着脱可能であると共に、先端部２１の光出射端２１ａから出射される光を集光し、ライトガイド２０の先端部２１の外周面に形成された環状の溝部２１ｂに対向して配置される環状の凹部１１ａが内周面に設けられた筒状部１１と、筒状部１１の先端側に固定されたレンズ１２と、ライトガイド２０側の溝部２１ｂ及び筒状部１１側の凹部１１ａ内に収容されると共に、径方向に弾性変形可能なリング部材１３とを備える。【選択図】  図２
2005345739.tif 000002
【特許請求の範囲】
【請求項１】
ライトガイドの先端部に対して着脱可能であると共に、前記先端部の光出射端から出射される光を集光するためのレンズホルダであって、
前記ライトガイドの前記先端部の外周面に形成された環状の溝部に対向して配置される環状の凹部が内周面に設けられた筒状部と、
前記筒状部の先端側に固定されたレンズと、
前記ライトガイド側の前記溝部及び前記筒状部側の前記凹部内に収容されると共に、径方向に弾性変形可能なリング部材とを備えたことを特徴とするレンズホルダ。
【請求項２】
前記リング部材は、螺旋状のＯ型リングであることを特徴とする請求項１記載のレンズホルダ。
【請求項３】
前記リング部材は、Ｃ型リングであると共に、光軸線方向に弾性を有するように端部同士がオフセットしていることを特徴とする請求項１記載のレンズホルダ。
【請求項４】
前記筒状部側の前記凹部の深さは、前記ライトガイド側の前記溝部の深さよりも深くなっていることを特徴とする請求項１〜３のいずれか一項記載のレンズホルダ。
【請求項５】
前記ライトガイドの前記先端部に設けられた接合凸部と前記ライトガイドの本体部との境界部分に設けられた段差面に、前記筒状部の基端面が突き当たるように、前記筒状部は前記ライトガイドの前記接合凸部に対し光軸線方向に嵌め合わされ、
前記リング部材は、前記溝部の先端面及び前記凹部の後端面に当接することを特徴とする請求項１〜４のいずれか一項記載のレンズホルダ。
【請求項６】
前記筒状部側の前記凹部の光軸線方向における長さは、前記ライトガイド側の前記溝部の光軸線方向における長さより短いことを特徴とする請求項５記載のレンズホルダ。
【請求項７】
光供給装置から供給された光を光出射端から出射するライトガイドと、前記ライトガイドの先端部に対して着脱可能であると共に、前記先端部の光出射端から出射される光を集光するためのレンズホルダとを有する導光装置であって、
前記レンズホルダは、
前記ライトガイドの前記先端部の外周面に形成された環状の溝部に対向して配置される環状の凹部が内周面に設けられた筒状部と、
前記筒状部の先端側に固定されたレンズと、
前記ライトガイド側の前記溝部及び前記筒状部側の前記凹部内に収容されると共に、径方向に弾性変形可能なリング部材とを備えたことを特徴とする導光装置。
【請求項８】
光源を有する光供給装置と、前記光供給装置から供給された光を光出射端から出射するライトガイドと、前記ライトガイドの先端部に対して着脱可能であると共に、前記先端部の光出射端から出射される光を集光するためのレンズホルダとを有する光照射装置であって、
前記レンズホルダは、
前記ライトガイドの前記先端部の外周面に形成された環状の溝部に対向して配置される環状の凹部が内周面に設けられた筒状部と、
前記筒状部の先端側に固定されたレンズと、
前記ライトガイド側の前記溝部及び前記筒状部側の前記凹部内に収容されると共に、径方向に弾性変形可能なリング部材とを備えたことを特徴とする光照射装置。
【発明の詳細な説明】
【技術分野】
【０００１】
本発明は、ライトガイドの先端部に対して着脱自在なレンズホルダ、前述のレンズホルダ及びライトガイドを有する導光装置、及び前述の導光装置を有する光照射装置に関する。
【背景技術】
【０００２】
光照射装置（スポット光源装置）は、光源から供給される光をライトガイドで導光し、被照射物に光を照射する。被照射物の位置がライトガイドから５〜１０ｍｍ離れた距離であれば、集光レンズなしでも使用できるが、１５ｍｍ以上離れた位置に被照射物がある場合は集光レンズを用いて光を集めて使用するのが好ましい。このとき、ライトガイドにレンズを固定する方法としては、ネジを使ってレンズホルダを固定する方法が用いられている（例えば、下記特許文献１参照）。
【特許文献１】特開２００１−２５０４０９号公報
【発明の開示】
【発明が解決しようとする課題】
【０００３】
しかしながら、上記の方法では、レンズを交換する際、ユーザは工具を使ってネジを回さなければならなかった。また、ネジが非常に小さいため、ユーザがネジを無くすことも多く、利便性が悪かった。
【０００４】
そこで、本発明は、利便性の高いレンズホルダ、導光装置及び光照射装置を提供することを目的とする。
【課題を解決するための手段】
【０００５】
本発明に係るレンズホルダは、ライトガイドの先端部に対して着脱可能であると共に、先端部の光出射端から出射される光を集光するためのレンズホルダであって、ライトガイドの先端部の外周面に形成された環状の溝部に対向して配置される環状の凹部が内周面に設けられた筒状部と、筒状部の先端側に固定されたレンズと、ライトガイド側の溝部及び筒状部側の凹部内に収容されると共に、径方向に弾性変形可能なリング部材とを備えたことを特徴とする。
【０００６】
本発明に係るレンズホルダでは、筒状部の基端部にライトガイドの先端部を挿入する際、ライトガイドの先端部の外周面によってリング部材は筒状部の凹部に収容されたまま径方向外方に弾性変形し、その後、リング部材はライトガイドの先端部の溝部に収容される。ライトガイドの溝部に収容されたリング部材は、溝部の内でストッパーの役割を果たし、レンズホルダはライトガイドに対して、所定のバネ力をもって固定される。従って、ライトガイドに対してレンズホルダの筒状部を光軸線方向に抜き差しするように力を加えるだけで、ライトガイドに対しレンズホルダを脱着することができる。このことは、ネジを回すための工具を不要とし、無くすおそれのある小さな部品（例えばネジなど）を用いることなくレンズの脱着が可能となり、レンズホルダの利便性を向上させることができる。
【０００７】
レンズホルダにおいて、より具体的には、リング部材は、螺旋状のＯ型リングであると好適である。Ｏ型リングを利用することで、リング部材の耐久性を高めることができる。
【０００８】
レンズホルダにおいて、リング部材は、Ｃ型リングであると共に、光軸線方向に弾性を有するように端部同士がオフセットしていると好適である。このようなリング部材は、光軸線方向に弾性を有しているので、Ｃ型リングの光軸線方向の幅より狭い幅の凹部に収容されるときに光軸線方向に圧縮され、ガタ付きが少ない状態となる。また、圧縮されない場合も、このようなＣ型リングは端部同士がオフセットされており光軸線方向への所定の幅を有するため、やはりガタ付きが少ない状態となる。従って、本発明によれば、ライトガイドにレンズホルダを固定する際、光軸線方向へのガタ付きを少なくできる。
【０００９】
レンズホルダにおいて、筒状部側の凹部の深さは、ライトガイド側の溝部の深さよりも深くなっているのが好適である。この構成によれば、ライトガイドのより容易な脱着が可能となる。
【００１０】
レンズホルダにおいて、ライトガイドの先端部に設けられた接合凸部とライトガイドの本体部との境界部分に設けられた段差面に、筒状部の基端面が突き当たるように、筒状部はライトガイドの接合凸部に対し光軸線方向に嵌め合わされ、リング部材は、溝部の先端面及び凹部の後端面に当接することを特徴とするのが好適である。この構成によれば、ライトガイドにレンズホルダを装着した際、光軸線方向において、ガタ付きを極めて少なくでき、より確実な固定が可能となる。
【００１１】
レンズホルダにおいて、より具体的には、筒状部側の凹部の光軸線方向における長さは、ライトガイド側の溝部の光軸線方向における長さより短いのが好適である。この構成によれば、レンズホルダの凹部をライトガイドの溝部に対し、確実に対向させることができる。
【００１２】
本発明に係る導光装置は、光供給装置から供給された光を光出射端から出射するライトガイドと、ライトガイドの先端部に対して着脱可能であると共に、先端部の光出射端から出射される光を集光するためのレンズホルダとを有する導光装置であって、レンズホルダは、ライトガイドの先端部の外周面に形成された環状の溝部に対向して配置される環状の凹部が内周面に設けられた筒状部と、筒状部の先端側に固定されたレンズと、ライトガイド側の溝部及び筒状部側の凹部内に収容されると共に、径方向に弾性変形可能なリング部材とを備えたことを特徴とする。
【００１３】
本発明に係る導光装置に適用するレンズホルダでは、筒状部の基端部に、ライトガイドの先端部を挿入する際、ライトガイドの先端部の外周面によって、リング部材は、筒状部の凹部に収容されたまま径方向外方に弾性変形し、その後、リング部材は、ライトガイドの先端部の溝部に収容される。ライトガイドの溝部に収容されたリング部材は、溝部の内でストッパーの役割を果たし、レンズホルダはライトガイドに対して、所定のバネ力をもって固定される。従って、ライトガイドに対してレンズホルダの筒状部を光軸線方向に抜き差しするように力を加えるだけで、ライトガイドに対しレンズホルダを脱着することができる。このことは、ネジを回すための工具を不要とし、無くすおそれのある小さな部品（例えばネジなど）を用いることなくレンズの脱着が可能となり、導光装置の利便性を向上させることができる。
【００１４】
本発明に係る光照射装置は、光源を有する光供給装置と、光供給装置から供給された光を光出射端から出射するライトガイドと、ライトガイドの先端部に対して着脱可能であると共に、先端部の光出射端から出射される光を集光するためのレンズホルダとを有する光照射装置であって、レンズホルダは、ライトガイドの先端部の外周面に形成された環状の溝部に対向して配置される環状の凹部が内周面に設けられた筒状部と、筒状部の先端側に固定されたレンズと、ライトガイド側の溝部及び筒状部側の凹部内に収容されると共に、径方向に弾性変形可能なリング部材とを備えたことを特徴とする。
【００１５】
本発明に係る光照射装置に適用するレンズホルダでは、筒状部の基端部に、ライトガイドの先端部を挿入する際、ライトガイドの先端部の外周面によって、リング部材は、筒状部の凹部に収容されたまま径方向外方に弾性変形し、その後、リング部材は、ライトガイドの先端部の溝部に収容される。ライトガイドの溝部に収容されたリング部材は、溝部の内でストッパーの役割を果たし、レンズホルダはライトガイドに対して、所定のバネ力をもって固定される。従って、ライトガイドに対してレンズホルダの筒状部を光軸線方向に抜き差しするように力を加えるだけで、ライトガイドに対しレンズホルダを脱着することができる。このことは、ネジを回すための工具を不要とし、無くすおそれのある小さな部品（例えばネジなど）を用いることなくレンズの脱着が可能となり、光照射装置の利便性を向上させることができる。
【発明の効果】
【００１６】
本発明に係るレンズホルダは、ライトガイドの先端部に対して筒状部を抜き差しするような力を加えるだけで、ライトガイドに対し脱着でき、このことは、利便性を向上させる。本発明に係る導光装置のレンズホルダは、ライトガイドの先端部に対して筒状部を抜き差しするような力を加えるだけで、ライトガイドに対し脱着でき、このことは、利便性を向上させる。本発明に係る光照射装置のレンズホルダは、ライトガイドの先端部に対して筒状部を抜き差しするような力を加えるだけで、ライトガイドに対し脱着でき、このことは、利便性を向上させる。
【発明を実施するための最良の形態】
【００１７】
以下、図面を参照しつつ本発明に係るレンズホルダ、導光装置及び光照射装置の好適な実施形態について詳細に説明する。
【００１８】
図１に示すように、持ち運び可能な光照射装置１は、被照射物に照射するための光を供給する光供給装置３０と、光供給装置３０により供給された光を伝搬させて被照射物に光を照射するための導光装置２とを含んで構成されている。光供給装置３０は金属製の筐体３３を有し、この筐体３３内には、放電管からなる交換可能な光源３１及び光源３１から放射される光を集光する楕円形反射ミラーなどが収容されている。光源３１により発生させられる光は、例えば紫外線（Ultra Violet（ＵＶ））が相当する。
【００１９】
図１及び図２に示すように、導光装置２は、レンズホルダ１０とライトガイド２０とを含んで構成されている。レンズホルダ１０は、ライトガイド２０の先端部２１に対して着脱可能である共に、ライトガイド２０の光出射端２１ａから出射される光を集光するためのものである。ライトガイド２０は、その後端部において、光供給装置３０の接続部３２に対して着脱可能となっており、光供給装置３０から供給された光は、ライトガイド２０の本体部２２を伝搬して光出射端２１ａから出射する。ライトガイド２０の本体部２２は、内部に光ファイバＦが圧入された金属製のフレキシブルパイプとして構成されている。
【００２０】
図２及び図３に示すように、レンズホルダ１０は、ライトガイド２０の先端部２１に対して脱着自在であり、筒状部１１と、レンズ１２と、リング部材１３とを備えている。この筒状部１１は、アルミニウム等の金属で形成され、筒状部１１の前端部１１ｃは、円柱状のレンズ１２を収容できるように円筒形に形成され、レンズ１２は筒状部１１内に圧入されている。また、図３に示すように、レンズ１２を筒状部１１内で位置決めさせるために、筒状部１１の内壁内の略中央には段差部１１ｂが設けられている。レンズ１２を筒状部１１内で固定するにあたって、レンズ１２の後端を段差部１１ｂに突き当て、筒状部１１の先端を内側に加締めることにより、レンズ１２が筒状部１１の先端側でしっかりと固定される。ここで利用されるレンズ１２は、ライトガイド２０の光出射端２１ａから出射される光を集光する凸レンズであり、石英ガラス等で形成されている。
【００２１】
図２及び図３に示すように、筒状部１１の基端部１１ｄは、ライトガイド２０の円柱状の先端部２１の挿入を可能にするために円筒形に形成され、筒状部１１の基端部１１ｄの内径ｄ１はライトガイド２０の先端部２１の外径ｄ２（図５参照）より僅かに大きくなっている。レンズホルダ１０の筒状部１１の内径ｄ１は、ライトガイド２０の先端部２１おいて径方向のガタ付きが少ない寸法が選択される。また、筒状部１１の内周面には、環状の凹部１１ａが設けられ、凹部１１ａ内にはリング部材１３が収容される。
【００２２】
図４に示すように、リング部材１３はバネ線材を螺旋状に丸めて形成されたＯ型リングであり、径方向に弾性変形可能である。また、リング部材１３では、螺旋状に丸められた線材が光軸線Ｌ方向において接触している。なお、線材の直径は、約０．６ｍｍである。リング部材１３の外径ｄ３は、リング部材１３がレンズホルダ１０の凹部１１ａに収容可能なように、レンズホルダ１０の筒状部１１の内径ｄ１（図３参照）よりも大きくなっている。例えば、内径ｄ１が６ｍｍである場合、リング部材１３の外径ｄ３は６．９ｍｍ程度であることが好ましい。
【００２３】
図２及び図３に示すように、レンズホルダ１０側の凹部１１ａの光軸線Ｌ方向の幅ｗ１は、リング部材１３が収容可能な幅である。即ち、リング部材１３の光軸線Ｌ方向の幅ｗ（図４（ｂ）参照）以上の幅になっている。例えば、リング部材１３が螺旋状の重なりを有しており、リング部材１３を形成する線材の直径が０．６ｍｍである場合、凹部１１ａの光軸線Ｌ方向の幅は１．３〜１．４ｍｍ程度が好ましい。
【００２４】
また、レンズホルダ１０内にライトガイド２０の先端部２１を挿入する際、先端部２１はリング部材１３に当接するので、レンズホルダ１０側の凹部１１ａの深さは、リング部材１３を形成する線材の太さ以上に形成される。例えば、線材の太さが０．６ｍｍである場合、凹部１１ａの深さは０．６〜０．７ｍｍ程度が好ましい。
【００２５】
ライトガイド２０は、図１、図２及び図５に示すように、レンズホルダ１０と接合する部分である先端部２１と、基端部において光供給装置３０の接続部３２に対して接続され、光供給装置３０から供給される光を伝搬させるライトガイド本体部２２と備える。ライトガイド本体部２２は、内部に備えるコア材により光を伝搬させる。コア材としては、紫外線透過率に優れた石英ガラスや液体が用いられる。
【００２６】
図５に示すように、ライトガイド２０の先端部２１は、円柱状に形成されており、レンズホルダ１０の筒状部１１の基端部１１ｄに挿入される。例えば、レンズホルダ１０の筒状部１１の内径ｄ１が６ｍｍである場合、ライトガイド２０の先端部２１の外径ｄ２は６ｍｍ未満であるが、径方向のガタ付きは可能な限り小さい方が好ましい。
【００２７】
ライトガイド２０の先端部２１の外径ｄ２は、レンズホルダ１０のリング部材１３の内径ｄ４より大きい。これは、先端部２１によってリング部材１３を径方向に一旦拡張させるためである。例えば、先端部２１の外径ｄ２が６ｍｍであるとすると、リング部材１３の内径ｄ４は、５．７ｍｍ程度とするのがよい。
【００２８】
ライトガイド２０の先端部２１には、光供給装置３０から供給され光が出射される光出射端２１ａが設けられ、先端部２１の外周面には、環状の溝部２１ｂが形成されている。また、図２及び図５に示すように、レンズホルダ１０の位置決めを達成するために、先端部２１に設けられた接合凸部２１ｃとライトガイド本体部２２との境界部分に段差面２２ａが設けられ、この段差面２２ａにレンズホルダ１０の筒状部１１の基端面１１ｅが突き当てられている。
【００２９】
ライトガイド２０側の溝部２１ｂの光軸線Ｌ方向における長さは、リング部材１３を収容できる長さであればよく、レンズホルダ１０側の凹部１１ａの光軸線Ｌ方向における長さより長い。例えば、凹部１１ａの光軸線Ｌ方向における長さが２ｍｍであるとすると、溝部２１ｂの光軸線Ｌ方向における長さは、３ｍｍ程度でよい。
【００３０】
また、ライトガイド２０をより容易に脱着しやすくするため、レンズホルダ１０側の凹部１１ａの深さは、ライトガイド２０側の溝部２１ｂの深さよりも深くなっている。例えば、ライトガイド２０側の溝部２１ｂの深さを０．１ｍｍとしたとき、レンズホルダ１０側の凹部１１ａの深さは０．６〜０．７ｍｍとするのが好ましい。凹部１１ａの深さは、リング部材１３の線材の直径により適宜決定される。
【００３１】
また、図２に示すように、レンズホルダ１０がライトガイド２０に装着されたとき、凹部１１ａと溝部２１ｂとは対向して配置される。特に、レンズホルダ１０の筒状部１１がライトガイド２０の先端部２１に嵌め合わされたときに、凹部１１ａの先端と溝部２１ｂの先端とが略一致することが好ましい。即ち、図２に示すように、レンズホルダ１０における基端面１１ｅから凹部１１ａの先端までの長さと、ライトガイド２０における段差面２２ａから溝部２１ｂの先端までの長さとを略同一の長さ（例えば、７ｍｍ程度）にするのが好ましい。
【００３２】
そこで、ライトガイド２０の先端部２１を、レンズホルダ１０の筒状部１１の基端側から挿入すると、ライトガイド２０の先端部２１の外周面に沿って、リング部材１３は、筒状部１１の凹部１１ａに収容されたまま径方向外方に弾性変形する。その後、図２に示すように、リング部材１３は、ライトガイド２０の先端部２１の溝部２１ｂに収容される。ライトガイド２０の溝部２１ｂに収容されたリング部材１３は、溝部２１ｂ内でストッパーの役割を果たし、レンズホルダ１０は、ライトガイド２０に対して所定のバネ力をもって固定される。
【００３３】
このように、レンズホルダ１０がライトガイド２０に対して固定された状態で、光が光供給装置３０からライトガイド２０に供給されると、光は、ライトガイド２０の先端部２１に設けられた光出射端２１ａから出射され、レンズホルダ１０のレンズ１２により集光されて被照射物に照射される。
【００３４】
また、レンズホルダ１０を交換するに際し、レンズホルダ１０の筒状部１１を光軸線Ｌ方向に抜き差しするように力を加えるだけで、ライトガイド２０に対しレンズホルダ１０を脱着することができる。このことは、ネジ等を回すための工具を不要とし、無くすおそれのある小さな部品を用いることなくレンズ１２の脱着が可能となり、レンズホルダ１０の利便性を向上させている。また、このようなレンズホルダ１０を有する導光装置２及び光照射装置１も、それぞれ高い利便性を備えている。
【００３５】
また、ライトガイド２０にレンズホルダ１０を固定するためのリング部材１３は、レンズホルダ１０の内周面に設けられた凹部１１ａに収容されているので、剥き出しの状態にならず、伸びや歪みによる破損、及び紛失が生じにくい。また、リング部材１３は、凹部１１ａに単に収容されているだけであるので、磨耗等によりレンズホルダ１０を固定する能力が低くなった場合、リング部材１３のみを交換することにより、固定する能力を回復させることができる。また、リング部材１３を螺旋状のＯ型リングとすれば、リング部材の耐久性を高めることができる。また、レンズホルダ１０側の凹部１１ａの深さを、ライトガイド２０側の溝部２１ｂの深さよりも深くすれば、ライトガイド２０のより容易な脱着が可能となる。また、レンズホルダ１０側の凹部１１ａの光軸線Ｌ方向における長さをライトガイド２０側の溝部２１ｂの光軸線Ｌ方向における長さよりも短くすれば、凹部１１ａを溝部２１ｂに対し、確実に対向させることができる。
【００３６】
なお、本実施形態に用いられるリング部材は、図６に示すようなリング部材１４でもよい。図６に示すように、リング部材１４は、Ｃ型リングであると共に、光軸線Ｌ方向に弾性を有するように端部同士がオフセットしている。なお、リング部材１４の両端部の開き角度は、中心から見て６０°程度とするのがよい。
【００３７】
図７は、このリング部材１４を用いて、レンズホルダ１０がライトガイド２０に対して固定された状態を示す断面図である。図７に示すように、リング部材１４は、光軸線Ｌ方向に圧縮され、ライトガイド２０側の溝部２１ｂの先端面２１ｄ及びレンズホルダ１０側の凹部１１ａの後端面１１ｆに当接した状態となる。なお、レンズホルダ１０側の凹部１１ａの光軸線Ｌ方向の幅は、端部同士がオフセットしていることによるリング部材１４の光軸線Ｌ方向の広がりよりも小さくなっており、リング部材１４は光軸線Ｌ方向に圧縮された状態で凹部１１ａ内に収容される。
【００３８】
上記の構成によれば、リング部材１４は圧縮された状態で、レンズホルダ１０側の凹部１１ａに収容されているので、ライトガイド２０にレンズホルダ１０を固定する際、光軸線Ｌ方向のガタ付きを少なくできる。また、リング部材１４が、レンズホルダ１０側の凹部１１ａの後端面１１ｆに当接し、これと同時に、筒状部１１の基端面１１ｅが、先端部２１に設けられた接合凸部２１ｃとライトガイド本体部２２との境界部分の段差面２２ａに突き当たっているので、ガタ付きを極めて少なくでき、より確実な固定が可能となる。
【００３９】
また、リング部材１４は、Ｃ型リングであるので、レンズホルダ１０側の凹部１１ａの光軸線Ｌ方向の幅を狭くすることができ、ガタ付きの発生を減らすことができる。また、リング部材１４は凹部１１ａへの収容がより容易である。また、リング部材として、図８に示すようなオフセットしていないＣ型リング１５が用いられてもよい。また、光軸線Ｌ方向に圧縮可能とするため、図９に示すような、螺旋状に丸められた線材が光軸線Ｌ方向において離間しているＯ型リング１６をリング部材として用いてもよい。このＯ型リング１６において、線材の直径は０．６ｍｍ、光軸線Ｌ方向の幅ｗ２は１．５ｍｍ程度であるのが好ましい。
【図面の簡単な説明】
【００４０】
【図１】本発明に係る光照射装置の一実施形態を示す斜視図である。
【図２】レンズホルダがライトガイドに装着された状態を示す断面図である。
【図３】レンズホルダの構成を示す断面図である。
【図４】リング部材の第１の例を示す図であり、（ａ）は正面図、（ｂ）は側面図である。
【図５】ライトガイドの先端部を示す側面図である。
【図６】リング部材の第２の例を示す図であり、（ａ）は正面図、（ｂ）は側面図である。
【図７】レンズホルダがライトガイドに装着された状態の他の実施形態を示す断面図である。
【図８】リング部材の第３の例を示す図であり、（ａ）は正面図、（ｂ）は側面図である。
【図９】リング部材の第４の例を示す図であり、（ａ）は正面図、（ｂ）は側面図である。
【符号の説明】
【００４１】
１…光照射装置、２…導光装置、１０…レンズホルダ、１１…筒状部、１１ａ…凹部、１１ｅ…筒状部の基端面、１１ｆ…凹部の後端面、１２…レンズ、１３〜１６…リング部材、２０…ライトガイド、２１…ライトガイドの先端部、２１ａ…光出射端、２１ｂ…溝部、２１ｃ…接合凸部、２１ｄ…溝部の先端面、２２…ライトガイド本体部、３０…光供給装置、３１…光源。
【図１】
2005345739.tif 000003
【図２】
2005345739.tif 000004
【図３】
2005345739.tif 000005
【図４】
2005345739.tif 000006
【図５】
2005345739.tif 000007
【図６】
2005345739.tif 000008
【図７】
2005345739.tif 000009
【図８】
2005345739.tif 000010
【図９】
2005345739.tif 000011